(57)【特許請求の範囲】
【請求項１】
トップシートと、
バックシートと、
前記トップシートと前記バックシートとの間の吸収性コアであって、前記吸収性コアは臭気抑制系を含む、吸収性コアとを含む、吸収性物品であって、
前記吸収性コアが、第１四分区間、第２四分区間、第３四分区間、及び第４四分区間を有し、
前記臭気抑制系が過酸素漂白化合物を含み、前記臭気抑制系が前記４つの四分区間の少なくとも２つにおいて、５％を超える分布プロファイルを有しており、
前記過酸素漂白化合物は、前記４つの四分区間の少なくとも２つにおいて、２８％を超える分布プロファイルを有しており、且つ、過炭酸ナトリウム、過ホウ酸ナトリウム、及びこれらの組み合わせからなる群から選択され、
前記臭気抑制系は、漂白活性化剤を含んでおり、
前記漂白活性化剤は、テトラアセチルエチレンジアミン（ＴＡＥＤ）、ベンゾイルカプロラクタム（ＢｚＣＬ）、４−ニトロベンゾイルカプロラクタム、３−クロロベンゾイルカプロラクタム、ベンゾイルオキシベンゼンスルホネート（ＢＯＢＳ）、ノナノイルオキシベンゼンスルホネート（ＮＯＢＳ）、安息香酸フェニル（ＰｈＢｚ）、デカノイルオキシベンゼンスルホネート（Ｃ１０−ＯＢＳ）、ベンゾイルバレロラクタム（ＢＺＶＬ）、オクタノイルオキシベンゼンスルホネート（Ｃ８−ＯＢＳ）、４−［Ｎ−（ノナオイル）アミノヘキサノイルオキシ］−ベンゼンスルホン酸ナトリウム塩（ＮＡＣＡ−ＯＢＳ）、ドデカノイルオキシベンゼンスルホネート（ＬＯＢＳ又はＣ１２−ＯＢＳ）、１０−ウンデセノイルオキシベンゼンスルホネート（１０位に不飽和を有するＵＤＯＢＳ又はＣ１１−ＯＢＳ）、及びデカノイルオキシ安息香酸（ＤＯＢＡ）ペルヒドロ化性エステル、並びにこれらの混合物からなる群から選択され、且つ、前記４つの四分区間の少なくとも１つにおいて、０．００５ｇ〜０．０１０ｇのレベルで存在する、吸収性物品。
【請求項２】
前記臭気抑制系が、コーティングされた過酸素漂白化合物を含む、請求項１に記載の吸収性物品。
【請求項３】
前記過酸素漂白化合物が、ケイ酸塩、ホウ酸、サルフェート、又はこれらの組み合わせからなる群から選択される剤の１つでコーティングされる、請求項２に記載の吸収性物品。
【請求項４】
前記漂白活性化剤がコア粒子にコーティングされる、請求項１〜３のいずれか一項に記載の吸収性物品。
【請求項５】
前記コア粒子が、硫酸ナトリウム、炭酸ナトリウム、及びリン酸ナトリウムからなる群から選択される、請求項４に記載の吸収性物品。
【請求項６】
前記漂白活性化剤が、オキシベンゼンスルホネート（ＯＢＳ）、オキシ安息香酸（ＯＢＡ）、及びバレロラクタム（ＶＬ）からなる群から選択される脱離基を有する、請求項１〜５のいずれか一項に記載の吸収性物品。
【請求項７】
過酸素源から得られた過酸化水素と前記漂白活性化剤とのモル比が、７０：１〜２０：１である、請求項１に記載の吸収性物品。
【請求項８】
前記漂白活性化剤の粒子は、総粒子重量を基準として、０パーセントより多く５パーセント以下の前記漂白活性化剤を含んでいる、請求項４に記載の吸収性物品。
【請求項９】
前記漂白活性化剤の粒子は、更に、ブドウ糖、ソルビトール、麦芽糖、グルカミン、ショ糖、ポリビニルアルコール、デンプン、アルキルポリグリコシド、ソルビタン脂肪酸エステル、脂肪酸部分に１個〜１８個の炭素原子を含有するポリヒドロキシ脂肪酸アミド、ポリエチレングリコールポリマー及びこれらの混合物からなる群から選択される分散助剤を含んでいる、請求項４に記載の吸収性物品。
【請求項１０】
漂白活性化剤系が、当該吸収性物品の少なくとも他の構成要素内に定置されており、
前記他の構成要素は、バリアレグカフ、バックシート、トップシート及びトップシートに塗布されたローションから選択されている、請求項１〜９のいずれか一項に記載の吸収性物品。
【発明の詳細な説明】
【技術分野】
【０００１】
本開示は、概して、活性化可能な臭気抑制系及びこのような系を使い捨て吸収性物品に組み込むための方法に関する。
【背景技術】
【０００２】
使い捨ておむつ、生理用ナプキン、おりものシート、失禁パッド、タンポン等の吸収性物品は、典型的に、尿、糞便、膣液、及び経血等の体液の吸収に利用される。吸収性物品は、これらの液を吸収すると、装着中又は廃棄時にこれらの製品から放出され得る不快な臭気をもたらす、脂肪酸（例えばイソ吉相酸）、硫黄含有化合物（例えばメルカプタン及び硫化物）、アンモニア、アミン（例えばトリエチルアミン）、ケトン（例えば、４−ヘプタノン）、アルコール、及びアルデヒド（デカナール）を含む、多数の揮発性化学化合物を含有することが分かる。化合物は、体液内に存在する場合もあり、又は、液が吸収性物品内に吸収されると経時的に化学反応及び／又は液分解メカニズムにより発生する場合もある。更に、体液が吸収性物品内に吸収されると、通常、腐敗菌による分解、酸分解、タンパク質分解、脂肪分解等の分解メカニズムの結果、悪臭副生成物を生成し得る微生物及び／又は酵素と接触する。これらの臭気は、吸収性物品の着用者や介護者にとって不快な体験へとつながる可能性があり、また吸収性物品の目立たない使用及び／又は廃棄を困難にし得る。
【０００３】
マスキング（すなわち香料で臭気を覆う）、既に体液内に存在する臭気及び分解後に生成される臭気の吸収、又は臭気の形成の防止を含む、上述の不快な臭気の一部に対処するための様々な臭気抑制材、薬剤、技術、及び系が、当該技術分野において開示されている。これら様々な臭気抑制材、薬剤、技術、及び系のサブセットは、活性化可能である。活性化可能な臭気抑制系は先行技術に存在するが、これらの効果的な分布の開示はない。具体的に、コアに沿ってどこに負荷が生じるかが予想不可能なために、活性化可能な臭気抑制系の定置は決定的となり得る。負荷の位置、すなわち、吸収性物品において体液が堆積される場所は、吸収性物品が着用者に適用される方法の違い、加えて異なる着用者の解剖学的構造の違いにより予想不可能である。
【０００４】
活性化可能な臭気抑制系の効果的な分布に関する別の問題は、低容量の負荷の場所に適量（臭気／臭気を生じる物質に作用するために十分な）の系を有することである。少量の負荷は、コア／おむつの僅かな部分のみを湿らせる。したがって、臭気抑制系が効果的に分布していない場合、これは小容量の負荷によって良好に活性化されない。更に、活性化可能な臭気抑制系は、多数の負荷又は多数の排泄事象に対処するように効果的に分布するべきである。臭気抑制系の効果的な分布は第２、第３、又は第４の事象に関しても収容力を維持し、局所化された臭気抑制系は後の事象に反応しないことがあり、又は後の事象に反応するために過剰な量の臭気抑制系を必要とすることがある。長期にわたって多数の事象に反応する臭気抑制系のこの能力は、使用中の系の安定性と称されることがある。
【発明の概要】
【発明が解決しようとする課題】
【０００５】
上記の全ての理由のために、吸収性物品内で効果的に分布する、活性化可能な臭気抑制系を提供することが望ましい。低用量の負荷から適切、かつ効果的に保護するために、十分な、活性化可能な臭気抑制系を提供することが更に望ましい。なお更には、それが内部に定置される製品の予測使用期間にわたって安定である、十分に有効な活性化可能な臭気抑制系を提供することが望ましい。
【０００６】
望ましい効果は、過酸素漂白化合物（例えば、過炭酸ナトリウム、過ホウ酸ナトリウムなど）を含む様々な活性化可能な臭気抑制系、米国特許第６０／９８９，０７１号に開示される、漂白活性化剤系（過炭酸ナトリウム及びノナノイルオキシベンゼンスルホネートナトリウム（ＮＯＢＳ）の組み合わせを含む）、及び米国特許出願公開第２００７／０２１３４１２号に記載される香料送達技術（例えば、デンプンカプセル化調和剤）を使用して達成され得ることが見出された。
【課題を解決するための手段】
【０００７】
トップシートと、バックシートと、トップシートとバックシートとの間の吸収性コアとを含む、吸収性物品が開示される。吸収性コアは臭気抑制系を含み得る。吸収性コアは、第１四分区間、第２四分区間、第３四分区間、及び第４四分区間を有する。臭気抑制系は、４つの四分区間の少なくとも２つにおいて、５％を超える分布プロファイルを有し得る。
【図面の簡単な説明】
【０００８】
【図１】４つの四分区間に分割されたコアを有する、代表的な吸収性物品の平面図。
【図２】代表的な吸収性物品の側面図。
【発明を実施するための形態】
【０００９】
本明細書において使用するとき、「分布プロファイル」とは、吸収性物品の多数の区分（例えば、四分区間）に存在すると判断された、臭気抑制系／活性物質の重量％を意味する。
【００１０】
本明細書において使用するとき「活性化可能な」とは、望ましくない臭気／臭気を生じる化合物に作用する役割を担うメカニズムを誘起するために、体液を必要とする臭気抑制系を指す。活性化可能な臭気抑制系は、臭気抑制活性物質、例えば、過酸化水素を解放するか、又は形成してもよく、これは臭気を生じる化合物の形成を排除するか、若しくは妨げることがあり、あるいは、過酸化水素水は、例えば過酸などの別の臭気抑制活性物質の形成を、過酸化水素水が過酸前駆体と反応すると、誘起することがある。
【００１１】
本明細書で使用するとき、「活性化不可能」とは、吸収性物品内に一度定置されると、更なる活性化を必要としない臭気抑制系を指す。すなわち、活性化不可能な臭気抑制系のメカニズムは、臭気の低減に関していくらかの利益を提供するために、湿潤又は他の介入を必要としない。
【００１２】
本開示による使い捨て吸収性物品は、活性化可能な臭気抑制系を含み得る。臭気抑制系は、過酸素漂白化合物、漂白活性化剤系、香料送達技術、又はこれらの組み合わせの１つを含み得る。漂白活性化剤系は、本明細書において以下で記載される、漂白活性化剤と組み合わせて使用される過酸素漂白化合物を含み得る。
【００１３】
過酸素漂白化合物
過酸素漂白化合物は、水溶液中で過酸化水素を生成することができるものを含む。過酸化水素源は、Ｋｉｒｋ  Ｏｔｈｍｅｒの「Ｅｎｃｙｃｌｏｐｅｄｉａ  ｏｆ  Ｃｈｅｍｉｃａｌ  Ｔｅｃｈｎｏｌｏｇｙ」（４ｔｈ  Ｅｄ（１９９２，Ｊｏｈｎ  Ｗｉｌｅｙ  ＆  Ｓｏｎｓ、Ｖｏｌ．４，ｐｐ．２７１〜３００の「Ｂｌｅａｃｈｉｎｇ  Ａｇｅｎｔｓ（Ｓｕｒｖｅｙ）」に詳説されており、様々なコーティング及び修飾された形態など、過ホウ酸ナトリウム及び過炭酸ナトリウムの様々な形態を含む。
【００１４】
過酸化水素源は、過酸化水素自体を含む任意の好都合な源を含んでもよい。例えば、過ホウ酸塩、例えば過ホウ酸ナトリウム（一水和物又は四水和物を含む任意の水和物）若しくは同等の過炭酸塩、ピロリン酸ナトリウム過酸化水素化物、尿素過酸化水素化物、又は過酸化ナトリウムを使用してもよい。過硫酸塩漂白剤（例えば、ＤｕＰｏｎｔ製のＯＸＯＮＥ）などの有効酸素源も有用である。過酸化水素の他の有用な源としては、ポリビニルピロリドンと過酸化水素との安定な複合物（米国特許出願公開号第２００６／０２９２０９１号に開示され、Ｉｎｔｅｒｎａｔｉｏｎａｌ  Ｓｐｅｃｉａｌｔｙ  Ｐｒｏｄｕｃｔｓ，Ｎ．Ｊ．から、商標名Ｐｅｒｏｘｙｄｏｎｅとして入手可能）、及び炭水化物と過酸化水素の安定な結晶性複合物（米国特許第６，８８７，４９６号に開示される）が挙げられる。任意の過酸化水素源の混合物もまた使用可能である。
【００１５】
過炭酸塩漂白剤は、約５００マイクロメートル〜約１，０００マイクロメートルの範囲内の平均粒度を有する乾燥粒子を含んでもよく、粒子の約１０重量％以下は約２００マイクロメートル未満であり、粒子の約１０重量％以下は約１，２５０マイクロメートルを超える。ＯＣＩ  Ｃｈｅｍｉｃａｌ  Ｃｏｒｐ（Ｄｅｃａｔｕｒ，Ａｌａｂａｍａ）からＰｒｏｖｏｘ  Ｃの商標名で、又はＫｅｍｉｒａ  Ｋｅｍｉ  ＡＢ（Ｓｗｅｄｅｎ）からＥＣＯＸ−Ｃの商標名で入手可能な過炭酸ナトリウムは、コーティングされていない又はコーティングされた形態であってもよい。
【００１６】
過酸素漂白化合物（例えば過炭酸ナトリウム）がコーティングされてもよい。好適なコーティングとしては、例えば、米国特許第５，５５６，８３４号、同第６，５２１，５８３号、及び同第７，５８８，６９７号、並びに国際公開第９７／１９８９０（Ａ１）号に開示されるように、ケイ酸塩、ホウ酸、サルフェート、又は水溶性界面活性剤が挙げられるが、これらに限定されない。コーティングされた過酸素漂白化合物の使用には、多湿環境における分解、又はこれらの分解を助長し得る他の化合物（例えば、香料原材料を含む有機化合物）との近接した状態における分解に対して、過酸素漂白化合物を安定化させることを含む利点が存在する。このような利益は、過酸素漂白化合物の周囲に少なくとも部分的なシェルをつくる、様々な無機材料によって提供され得る。コーティング材料は、水又は体液に可溶性であり、吸収性物品が汚れた後に、過酸素漂白化合物を露出し得る。
【００１７】
漂白活性化剤
過酸素漂白化合物は、漂白活性化剤と共に配合されてもよい。漂白活性化剤は、「過酸前駆体」として見なされてもよい。漂白活性化剤は、吸収性物品当たり約０．００１ｇ〜約０．００５ｇ、約０．０１ｇ〜約０．０５ｇ、〜約０．２ｇ、〜約１．０ｇのレベルで吸収性物品内に存在してもよい。漂白活性化剤は、過酸化水素源と併用された場合に漂白活性化剤に対応する過酸のその場生成を生じる任意の化合物を含んでもよい。漂白活性化剤の例は、米国特許第５，５７６，２８２号、同第４，９１５，８５４号、及び同第４，４１２，９３４号に記載されている。米国特許第４，６３４，５５１号もまた、過酸素漂白化合物及び漂白活性化剤を開示している。
【００１８】
漂白活性化剤は、テトラアセチルエチレンジアミン（ＴＡＥＤ）、ベンゾイルカプロラクタム（ＢｚＣＬ）、４−ニトロベンゾイルカプロラクタム、３−クロロベンゾイルカプロラクタム、ベンゾイルオキシベンゼンスルホネート（ＢＯＢＳ）、ノナノイルオキシベンゼンスルホネート（ＮＯＢＳ）、安息香酸フェニル（ＰｈＢｚ）、デカノイルオキシベンゼンスルホネート（Ｃ１０−ＯＢＳ）、ベンゾイルバレロラクタム（ＢＺＶＬ）、オクタノイルオキシベンゼンスルホネート（Ｃ８−ＯＢＳ）、ペルヒドロ化エステル及びその混合物、並びにベンゾイルカプロラクタム及びベンゾイルバレロラクタムを含んでもよい。ＯＢＳ又はＶＬ脱離基を有する漂白活性化剤を使用してもよい。疎水性漂白活性化剤が使用され得る。漂白活性化剤はまた、米国特許第５，６９８，５０４号、同第５，６９５，６７９号、同第５，６８６，４０１号、同第５，６８６，０１４号、同第５，４０５，４１２号、同第５，４０５，４１３号、同第５，１３０，０４５号、同第４，４１２，９３４号、及び米国特許出願第０８／７０９，０７２号、同第０８／０６４，５６４号、及び同第６０／９８９，０７１号に記載される。
【００１９】
漂白活性化剤の選択において、漂白活性化剤の表面活性は、吸収性物品の特定の構成の見地から考慮されるべきである。より高い表面活性は、漂白活性化剤に接触する体液の表面張力を低減し得る。低減した表面張力は、いくつかの吸収性物品の再湿潤傾向（すなわち、既に吸収した液体を解放する傾向）を増加させるか、又は吸収性物品の吸収能力に否定的な影響を与える場合があり、漏れ事象に寄与する可能性がある。「高い」表面活性は、吸収性物品、特に吸収性コアに使用される材料及び構成によって異なることが理解されるべきである。
【００２０】
本発明における漂白活性化剤に対する過酸化水素（未処理又は過酸素源から得られた状態）のモル比は、約１００：１〜１：１、約８０：１〜５：１、及び，約７０：１〜約２０：１の範囲であってもよい。
【００２１】
共存粒子としての漂白活性化剤系
過酸素漂白化合物及び漂白活性化剤材料は、過酸のその場生成を可能とする任意の手段により、又は任意の形態で吸収性物品内に組み込むことができる。これには、別個に添加される、又は事前に混合された固体としての２つの材料の、吸収性物品への添加が含まれる。例えば、過酸素漂白化合物及び漂白活性化剤は、本明細書に開示される、又は国際公開第２００７／１２７６４１号に開示される分散剤／結合剤材料の使用により、共存粒子組成物として吸収性物品に送達されてもよい。
【００２２】
複数粒子混合物としての漂白活性化剤系
過酸素漂白化合物及び漂白活性化剤はまた、粒子の混合物として吸収性物品に送達されてもよい。例えば、漂白活性化剤は、米国特許第４，４８６，３２７号及び同第６，６１７，３００号に開示されるような押出品の形態であってもよく、次いで過酸漂白化合物と混合されて複数粒子漂白活性化剤系を提供してもよい。更に、いくつかの実施形態において、漂白活性化剤は、国際公開第２００５／０８０５４２号、米国特許出願公開第２００６／０２５２６６７号、及び欧州特許第１  ８８１  ０５９（Ａ１）号に開示されるような好適な結合剤及びコーティング材料を使用することにより、コア粒子上にコーティングされてもよく、次いで適量の過酸素漂白化合物と混合されて複数の粒子漂白活性化剤系を提供してもよい。
【００２３】
漂白活性化剤粒子を作製するために使用される好適なコア材料は、硫酸ナトリウム、炭酸ナトリウム及びリン酸ナトリウム等の成分、並びに、噴霧乾燥、アグロメレーション、圧密、及び／又は押出しプロセス等のプロセスにより作製された複合洗剤成分組成物を含むが、これらに制限されない。そのような複合組成物の例には、洗剤ビルダー、界面活性剤、及び任意でポリマー成分を含む粒子／顆粒を含む。好適なコア材料は、過酸素漂白化合物と漂白活性化剤粒子との間の適切な混合を促進するために、過酸素漂白化合物に匹敵する粒径を有することができ、また約２００〜１３００μｍの範囲の粒径を有することができ、また約５００〜１０００μｍの平均粒径を有することができる。典型的には、洗剤粒子／顆粒等の好適なコアは、洗剤生産施設内で中間体として作製されるが、好適なコア及びコア原材料は、ＦＭＣ  Ｃｏｒｐｏｒａｔｉｏｎ（Ｐｈｉｌａｄｅｌｐｈｉａ，Ｐｅｎｎｓｙｌｖａｎｉａ，Ｕ．Ｓ．Ａ．）、Ｊｏｓｔ  Ｃｈｅｍｉｃａｌｓ（Ｓｔ．Ｌｏｕｉｓ，Ｍｉｓｓｏｕｒｉ，Ｕ．Ｓ．Ａ．）、Ｇｅｎｅｒａｌ  Ｃｈｅｍｉｃａｌ  Ｃｏｒｐｏｒａｔｉｏｎ（Ｐａｒｓｉｐｐａｎｙ，Ｎｅｗ  Ｊｅｒｓｅｙ，Ｕ．Ｓ．Ａ．）、及びＭａｌｌｉｎｃｋｒｏｄｔ  Ｂａｋｅｒ（Ｐｈｉｌｌｉｐｓｂｕｒｇ，ＮＪ，Ｕ．Ｓ．Ａ．）から入手可能である。更に、好適なコア構成成分として超吸収体ポリマーが使用されてもよく、これはＢＡＳＦ（Ｌｕｄｗｉｇｓｈａｆｅｎ，Ｇｅｒｍａｎｙ）、日本、大阪府の日本触媒株式会社、及びＥｖｏｎｉｋ  Ｄｅｇｕｓｓａ（Ｄｕｓｓｅｌｄｏｒｆ，Ｇｅｒｍａｎｙ）から入手可能である。更に、好適なコア材料は、ポリマー粒子、無機塩、粘土、雲母、デンプン、糖、ゼオライト、二酸化ケイ素及び無機配位錯体から選択することができる。
【００２４】
漂白活性化剤粒子を作製するために使用される好適な結合剤材料は、ポリマー、界面活性剤、溶媒、及びこれらの混合物からなる群から選択される材料を含む。ポリマーの例には、ポリアクリル酸ナトリウム、アクリル酸−マレイン酸コポリマー、ポリエチレングリコール、ポリ酢酸ビニル、ポリビニルピロリドン、セルロースエーテル、及びヒドロキシプロピルセルロースが含まれる。界面活性剤の例には、アニオン性、カチオン性、双性イオン性及び非イオン性界面活性剤が含まれる。溶媒の例には、水、アルコール、直鎖アルコール、分岐鎖アルコール、及び脂肪アルコールが含まれる。好適な結合剤は、ＢＡＳＦ（Ｌｕｄｗｉｇｓｈａｆｅｎ，Ｇｅｒｍａｎｙ）、Ｄｏｗ  Ｃｈｅｍｉｃａｌ  Ｃｏｍｐａｎｙ（Ｍｉｄｌａｎｄ，Ｍｉｃｈｉｇａｎ，Ｕ．Ｓ．Ａ．）、Ｈｅｒｃｕｌｅｓ  Ｉｎｃｏｒｐｏｒａｔｅｄ（Ｗｉｌｍｉｎｇｔｏｎ，Ｄｅｌａｗａｒｅ，Ｕ．Ｓ．Ａ．）、Ｓｈｅｌｌ  Ｃｈｅｍｉｃａｌ  ＬＰ（Ｈｏｕｓｔｏｎ，Ｔｅｘａｓ，Ｕ．Ｓ．Ａ．）、Ｐｒｏｃｔｅｒ  ＆  Ｇａｍｂｌｅ  Ｃｈｅｍｉｃａｌｓ（Ｃｉｎｃｉｎｎａｔｉ，Ｏｈｉｏ，Ｕ．Ｓ．Ａ．）、及びＲｏｈｍ  ａｎｄ  Ｈａｓｓ  Ｃｏｍｐａｎｙ（Ｐｈｉｌａｄｅｌｐｈｉａ，Ｐｅｎｎｓｙｌｖａｎｉａ，Ｕ．Ｓ．Ａ．）から入手可能である。
【００２５】
漂白活性化剤粒子を作製するために使用される好適な固体コーティング助剤は、酢酸塩、サルフェート、ホウ酸塩、リン酸塩、及びこれらの混合物からなる群から選択される材料を含む。酢酸塩の例には、酢酸マグネシウムＭｇ（ＣＨ３ＣＯＯ）２、及び酢酸ナトリウムＮａＣＨ３ＣＯＯが含まれる。硫酸塩の例には、硫酸マグネシウムＭｇＳＯ４、及び硫酸ナトリウムＮａ２ＳＯ４が含まれる。炭酸塩の例には、炭酸ナトリウムＮａ２ＣＯ３、炭酸カリウムＫ２ＣＯ３が含まれる。ホウ酸塩の例には、ホウ酸ナトリウムＮａ２Ｂ４Ｏ７が含まれる。リン酸塩の例には、二塩基性リン酸ナトリウムＮａ２ＨＰＯ４、及びトリポリリン酸ナトリウムＮａ５Ｐ３ＯＩＯが含まれる。そのようなコーティング助剤は、実質的に無水の塩としてコーティングプロセスに導入することができる。理論に束縛されるものではないが、その安定な水和物相への変換が、結合剤の水分の除去メカニズムを提供し、また乾燥工程を必要としない処理を可能にすると考えられる。好適な固体コーティング助剤は、ＰＱ  Ｃｏｒｐｏｒａｔｉｏｎ（Ｖａｌｌｅｙ  Ｆｏｒｇｅ，Ｐｅｎｎｓｙｌｖａｎｉａ，Ｕ．Ｓ．Ａ．）、ＦＭＣ  Ｃｏｒｐｏｒａｔｉｏｎ（Ｐｈｉｌａｄｅｌｐｈｉａ，Ｐｅｎｎｓｙｌｖａｎｉａ，Ｕ．Ｓ．Ａ．）、及びＭａｌｌｉｎｃｋｒｏｄｔ  Ｂａｋｅｒ，Ｉｎｃ．（Ｐｈｉｌｌｉｐｓｂｕｒｇ，Ｎｅｗ  Ｊｅｒｓｅｙ，Ｕ．Ｓ．Ａ．）から入手可能である。
【００２６】
更に、漂白活性化剤粒子は、介護者に信号を伝達する目的で、染料及び色素を任意に含むことができる。信号は、漂白活性化剤粒子の存在を伝えてもよい。染料及び顔料の非限定例としては、有機及び無機顔料、水性及びその他の溶媒可溶性染料が挙げられる。そのような染料及び色素は、Ｃｉｂａ  Ｓｐｅｃｉａｌｔｙ  Ｃｈｅｍｉｃａｌｓ  Ｃｏｒｐｏｒａｔｉｏｎ（Ｎｅｗｐｏｒｔ，Ｄｅｌａｗａｒｅ，Ｕ．Ｓ．Ａ．）、Ｃｌａｒｉａｎｔ  Ｃｏｒｐｏｒａｔｉｏｎ（Ｃｈａｒｌｏｔｔｅ，Ｎｏｒｔｈ  Ｃａｒｏｌｉｎａ，Ｕ．Ｓ．Ａ．）、及びＭｉｌｌｉｋｅｎ  Ｃｈｅｍｉｃａｌ  Ｃｏｍｐａｎｙ（Ｓｐａｒｔａｎｂｕｒｇ，Ｓｏｕｔｈ  Ｃａｒｏｌｉｎａ，Ｕ．Ｓ．Ａ．）から入手可能である。本明細書に記載の粒子作製プロセスを行うための好適な機器は、バッチ式及び可能な場合は連続式プロセス構成での、パドルミキサー、プロシェアミキサー、リボンブレンダー、垂直軸造粒機、及びドラムミキサーを含む。そのような機器は、Ｌｏｄｉｇｅ  ＧｍｂＨ（Ｐａｄｅｒｂｏｒｎ，Ｇｅｒｍａｎｙ）、Ｌｉｔｔｌｅｆｏｒｄ  Ｄａｙ，Ｉｎｃ．（Ｆｌｏｒｅｎｃｅ，Ｋｅｎｔｕｃｋｙ，Ｕ．Ｓ．Ａ．）、Ｆｏｒｂｅｒｇ  ＡＳ（Ｌａｒｖｉｋ，Ｎｏｒｗａｙ），Ｇｌａｔｔ  Ｉｎｇｅｎｉｅｕｒｔｅｃｈｎｉｋ  ＧｍｂＨ（Ｗｅｉｍａｒ，Ｇｅｒｍａｎｙ）から入手可能である。更に、漂白活性化剤粒子はまた、複数粒子漂白活性化剤系の過酸素漂白化合物と混合される前に、いかなる水分も除去するために任意で乾燥されてもよい。
【００２７】
いくつかの実施形態おいて、漂白活性化剤粒子は、総粒子重量を基準として、約５０重量パーセント以下の任意の漂白活性化剤、約２０重量パーセント以下の任意の漂白活性化剤活性物質、約１０重量パーセント以下の任意の漂白活性化剤活性物質、又は約５重量パーセント以下の任意の漂白活性化剤活性物質を含む。
【００２８】
複数の粒子漂白活性化剤系は、過酸素漂白化合物を漂白活性化剤粒子と混合することにより形成されてもよい。混合プロセスを行うために好適な機器は、Ｆｏｒｂｅｒｇミキサー等のパドルミキサー及び回転ドラムミキサーを含むが、これらに制限されない。
【００２９】
任意の薬剤
分散助剤又は結合剤が使用され得る。これらの材料は、吸収性物品のコア全体にわたり漂白活性化剤系を分布させるのを補助すると共に、過酸素漂白化合物及び漂白活性化剤を互いに密接に関連した状態に維持するのを補助するために使用してもよい。分散助剤は、漂白活性化剤材料との混合を可能とするために低融点固体を有してもよく、過酸素漂白化合物の十分な湿潤及び活性化を可能にするために親水性であってもよい。分散助剤は、ブドウ糖、ソルビトール、麦芽糖、グルカミン、ショ糖、ポリビニルアルコール、デンプン、アルキルポリグリコシド、ソルビタン脂肪酸エステル、その脂肪酸部分に約１個〜約１８個の炭素原子を含有するポリヒドロキシ脂肪酸アミド、及びこれらの混合物を含んでもよい。分散助剤はまた、Ｔｈｅ  Ｄｏｗ  Ｃｈｅｍｉｃａｌ  Ｃｏｍｐａｎｙ（Ｍｉｄｌａｎｄ  Ｍｉｃｈｉｇａｎ）からＣａｒｂｏｗａｘの商標名で入手可能なポリエチレングリコールポリマーを含んでもよい。
【００３０】
更なる活性化不可能な臭気抑制系／材料（例えば、活性炭などの吸着材料、カプセル化されていない香料）が、本開示の活性化可能な臭気抑制系と共に使用され得る。これらの材料は、薬剤が対処しようとする臭気の種類に従い分類してもよい。臭気は、化学的には、酸性、塩基性、又は中性に分類してもよい。あるいは、臭気抑制剤は、悪臭検出が低減又は防止されるメカニズムに関して区分してもよい。例えば、臭気抑制剤は、悪臭化合物と、又は悪臭分解生成物を生成する化合物と化学的に反応し、それにより臭気のない、又は消費者にとって許容可能な臭気を有する化合物を生成し得る。例えば、炭酸塩（例えば炭酸ナトリウム）、重炭酸塩（例えば重炭酸ナトリウム）、リン酸塩（例えばリン酸ナトリウム）、硫酸塩（例えば硫酸亜鉛及び硫酸銅）、カルボン酸、例えばクエン酸、ラウリン酸、ホウ酸、アジピン酸、及びマレイン酸等、カルボン酸の亜鉛塩、例えばリシノール酸亜鉛等、遷移金属、活性炭、粘土、ゼオライト、シリカ、超吸収性ポリマー、及びデンプンを使用することができる。そのような臭気抑制剤及び系は、欧州特許第Ａ−３４８  ９７８号、同第第Ａ−５１０  ６１９号、国際公開第９１１１２０２９号、同第第９１１１１９７７号、同第９１１１２０３０号、同第８１１０１６４３号、及び同第９６１０６５８９号に開示されている。
【００３１】
吸収性物品
使い捨て吸収性物品１３０は、一般的にシャーシ３０及び吸収性コア２０を含み得る。シャーシ３０は、衣類に面する表面１６０、及び身体に面する表面１５０を有するトップシート１２０、並びに衣類に面する表面１８０及び身体に面する表面１７０を有するバックシート１４０含み得る。吸収性コア２０はバックシート１４０の身体に面する表面１７０とトップシート１２０の衣類に面する表面１６０との間に配置され得る。吸収性コア２０は、前縁部４０、及び後縁部１９０を有し、前縁部４０と後縁部１９０との間の長さ１０を有する。吸収性物品１３０がユーザーに適用された際に、前縁部４０はユーザーの前側又は腹側に最も近くなる吸収性コア２０の縁部であり、後縁部１９０は、ユーザーの後側又は背側に最も近くなる吸収性コア２０の縁部である。吸収性コア２０の長さ１０は、線９０、１００、及び１１０に沿って四分区間５０、６０、７０、及び８０に分割され得る。図示されるように、四分区間５０は前縁部４０に最も近く、前側四分区間と記載されることがあり、そこでは四分区間６０は前側中央四分区間、四分区間７０は後側中央四分区間、四分区間８０は後側四分区間である。
【００３２】
特定の実施形態では、吸収性用品は、おむつ、パンツ製品、成人の失禁用製品、又は生理用ナプキンやパンティライナーなどの女性用衛生製品の形態とすることができる。吸収性物品１３０は、異なる形態内及び形態間で、異なる形状又は大きさを有し得る。このような多様な製品形態を考慮すれば、本発明の使い捨て吸収性用品中に更なる要素が用いられていてもよい。こうした要素は、外カバー、サイドパネル、袖口、弾性要素、翼状体、締結系及びこれらの組み合わせからなる群から選択することができる。当該技術分野において既知であるように、他の追加的な構成要素が可能である。
【００３３】
吸収性コア
本開示の物品は、１つ以上の吸収性コア２０を追加的に含んでもよい。吸収性コア２０は、トップシート１２０とバックシート１４０との間に少なくとも部分的に配置され、使い捨て吸収性物品と適合する任意の大きさ又は形状をとってもよい。吸収性コア１３０としての使用のための、広く受け入れられ商業的成功を果たしている代表的な吸収性構造は、米国特許第４，６１０，６７８号、同第４，６７３，４０２号、同第４，８８８，２３１号、及び同第４，８３４，７３５号、並びに米国特許出願公開第２００５−０２７３０７１号、同第２００５−０１７１４９９号、同第２００７−０１９１８０６号、同第２００４−０１６２５３８号、及び同第２００５−００９５９４２号に記載されている。吸収性コアは、米国特許第５，２３４，４２３号及び同第５，１４７，３４５号に詳細に記載されるように、吸収性貯蔵コア全体に位置付けられる化学的に剛化された繊維の獲得／分配コアを含有する、二重コアシステムを更に含んでよい。
【００３４】
本明細書で論じる「吸収性ゲル材料」及び「超吸収性ポリマー」とは、体液などの水性液と接触する際にこうした流体を吸収しヒドロゲルを形成する材料である。これらの吸収性ゲル材料は、典型的には大量の水性体液を吸収することができ、更にそのような吸収した流体を適度の圧力下で保持することができる。これらの吸収性ゲル化材料は、典型的には離散した非繊維性粒子の形態である。繊維、発泡体、シート、ストリップ、又は他のマクロ構造などの、他の形態もまた、本明細書に用いるのに適している。開放気泡フォームの形態の好適な吸収性ゲル化材料は、米国特許第３，５６３，２４３号、同第４，５５４，２９７号、同第４，７４０，５２０号、及び同第５，２６０，３４５号に記載される。
【００３５】
本開示のいくつかの実施形態において、吸収性物品はまた、トップシート１２０とバックシート１４０との間に配置された副層を含んでもよい。副層は、身体側表面及び衣類側表面を有し、排泄物を受容、貯蔵、固定することが可能ないかなる材料又は構造であってもよい。したがって副層は、単一材料、又は相互に作動的に連合する多くの材料を包含してもよい。更に副層は、吸収性物品の他の要素と一体であることも、物品の１以上の要素と直接的に若しくは間接的に接合した１以上の独立した要素であることもある。更に、副層は、吸収性コア２０から分離した構造体を含んでもよく、又は吸収性コア２０の少なくとも一部分を包含するか若しくはその一部分であってもよい。
【００３６】
更に好適な吸収性２０コアは、より少ない量のセルロース系エアフェルト材料を含んでいてもよい。例えば、こうしたコアでは約４０％、３０％、２０％、１０％、５％、更には１％未満を含みうる。こうしたコアでは、少なくとも約６０％、７０％、８０％、８５％、９０％、９５％、更には１００％の主として吸収性のゲル化剤を含み、その場合コアの残部はマイクロファイバーグルーからなる（適用可能な場合）。そのようなコア、マイクロファイバー接着剤、及び吸収性ゲル化材料は、米国特許第５，５９９，３３５号、同第５，５６２，６４６号、同第５，６６９，８９４号、同第６，７９０，７９８号、及び米国特許出願公開第２００４／０１５８２１２（Ａ１）号、同第２００４／００９７８９５（Ａ１）号、同第２００４／０１５８２１４（Ａ１）号、及び同第２００４／０１５８２１３号に記載される。
【００３７】
更なる実施形態では、本開示に基づく用品は更に濡れ感知部材を有していてもよい。この部材は用品内部の異なる部位に配することが可能である。例えば濡れ感知部材をトップシート上に配することが可能である。この部材は透過層と不透過層とを有していてよく、その場合、尿は透過層を通過するが、不透過層は通過せず、着用者が「濡れた」感触によって放尿がなされたことに気がつくようになっている。好適な部材は、米国特許第６，６２７，７８６号に詳細に記載される。
【００３８】
漂白活性化剤系は、例えば、米国特許出願公開第２００５／０２７３０７１号、同第２００５／０１７１４９９号、同第２００７／０１９１８０６号、同第２００４／０１６２５３８号、及び同第２００５／００９５９４２号に記載の吸収性物品内に組み込んでもよい。例えば、漂白活性化剤系は、吸収性コア、獲得システム、バリアレグカフ、バックシート、及び／又はトップシートを含み、上述の異なる吸収性物品構成要素内又は上に定置してもよい。更に、それらは、トップシートに塗布されたローション内に組み込まれてもよい。これらのローションは、親水性又は疎水性であってもよい。例えば、漂白活性化剤系はローション内に懸濁されてもよい。
【００３９】
本開示の活性化可能な臭気抑制系は、表１に概説されるコアプロファイルを含む、多くの分布プロファイルで、吸収性コア内に分布し得る。
【表１】
0005260752.tif 000002
【００４０】
吸収性物品の製造において使用される超吸収性ポリマーの供給に好適な粒子計量及びパルス装置が、当該技術分野において既知である。例えば、超吸収性粒子を計量し、パルシングするために好適な方法、及び装置が米国特許出願公開第２００３−０２２５３８２号に開示されている。これらの同じ方法及び装置が、本開示の活性化可能な臭気抑制系を計量するために使用され得る。開示される臭気抑制系は、単独で又は超吸収性ポリマー粒子の流れと共に計量及びパルシングされ得る。特に、本開示の臭気抑制系と共に使用され得る粒子計量装置としては、Ｋ−ｔｒｏｎ  Ｐｒｏｃｅｓｓ  Ｇｒｏｕｐ（Ｇｅｌｎｈａｕｓｅｎ，Ｇｅｒｍａｎｙ）から入手可能な小型ロスイン式（loss-in-weight）フイーダー、Ｋ−ＭＬ−ＳＦＳ−ＢＳＰ−１００型が挙げられる。臭気抑制系粒子が、超吸収性ポリマー粒子と共に吸収性物品へと計り取られる場合、これらはパルス装置に入る直前に超吸収性ポリマー粒子の流れへと計り取られてよい。
【００４１】
試験方法
吸収性物品を四分位（図１参照）へと分割する方法
吸収性物品を、ストレッチボード上で、トップシート側を上にして１００％延びた状態に伸張させる。吸収性コアの全長（Ｌ）を、０．２５ｃｍ（１／１０インチ）単位で測定する。本方法の目的のために、吸収性コア縁部は、吸収性コアを構成する吸収性材料（例えば、超吸収性粒子及び／又はセルロース繊維）の縁部に位置し、コアラップ又は吸収性材料と関連する他の副層が寄与するいかなる余分な長さも含まない。以下を計算する：
Ａ（ｉｎ．）＝０．２５×Ｌ（ｉｎ．）
Ｂ（ｉｎ．）＝０．５０×Ｌ（ｉｎ．）
Ｃ（ｉｎ）＝０．７５×Ｌ（ｉｎ．）
吸収性コアの前縁部から測定して、長さＡ、Ｂ、及びＣで区切り、各点でコアを横断する前縁部と平行な線を引く。Ａ、Ｂ、及びＣで引く線に沿って注意深く切断することにより、コアを４つの区分に切断する。各区分の重量を量り、重量をそれぞれ、四分区間１−Ｆ２５％、四分区間２−ＦＭ２５％、四分区間３−ＢＭ２５％、及び四分区間４−Ｂ２５％として記録する。切断中におむつから落ちるあらゆる材料は、この遊離した材料がおむつのどの部分から来るのか判断することが不可能であるため廃棄する。
【００４２】
吸収性物品の抽出−ノナノイルオキシベンゼンスルホン酸漂白活性化剤分析
５０％の水性エタノール１２００ｇ及び３００ｇの氷酢酸を２Ｌのガラス瓶内で混合し、２：１：２の重量比の変性エタノール：氷酢酸：脱イオン水溶液の混合物を提供することによって、ストック抽出溶媒がまず調製された。
【００４３】
存在する場合、カフ、及び存在する場合、コアの上の吸収性物品の上縁部を注意深く取り除き、コアを小さな断片（およそ１２９〜９．７ｃｍ２（２０〜１．５平方インチ）の断片）に、コアから失われるあらゆる材料を捉えるためにトレイ又は剥離紙上で切断することにより、抽出のための代表的な吸収性物品が調製される。吸収性物品材料が０．４７Ｌ（１６ｏｚ）の高密度ポリエチレン広口瓶（ＶＷＲ  Ｉｎｔｅｒｎａｔｉｏｎａｌから入手可能、カタログ番号１５９００−１０６）内に定置され、２００ｍＬのストック抽出溶媒で処理される。蓋（Ｐｌａｓｔｉｓｏｌライナー付き、ＶＷＲ  Ｉｎｔｅｒｎａｔｉｏｎａｌから入手可能、カタログ番号１６１９８−９０５）を瓶にしっかりと装着して確実に溶液が失われないようにし、瓶をＵＳ  Ｓｔｏｎｅｗａｒｅのローラー型ジャーミル（ＶＷＲ  Ｉｎｔｅｒｎａｔｉｏｎａｌから入手可能；カタログ番号４８９００−０００号）に３０分間で１０の設定で装着する。ミルのローラーとの適切な接触の維持を補助し、適切な混合を確実とするために、瓶を使い捨てニトリル手袋（例えばＶＷＲ  Ｉｎｔｅｒｎａｔｉｏｎａｌから入手可能、カタログ番号４０１０１−３４８）の中に入れる。瓶の中で吸収性物品を絞り、得られる液体を回収容器に注ぐことにより、抽出溶媒を回収する。抽出溶媒を分析まで冷蔵庫内に置くが、３日以内に使用するべきである。
【００４４】
ノナノイルオキシベンゼンスルホネート漂白活性化剤の高速液体クロマトグラフィー（ＨＰＬＣ）試験
ＮＯＢＳでコーティングされた粒子から、又はそのような粒子を含有する吸収性物品からのノナノイルオキシベンゼンスルホネート（ＮＯＢＳ）の定量化に好適な試験方法は、ＵＶ検出を用いたＨＰＬＣによるものである。分析は、インライン脱ガス装置、オートサンプラー、カラムヒーター（３５℃に設定）及びフォトダイオードアレイ検出器を備えたＷａｔｅｒｓ  ２６９５液体クロマトグラフ溶媒供給システム、又は同等物で行い、Ｅｍｐｏｗｅｒソフトウェアで機器制御、データ収集、及び処理をサポートする。クロマトグラフィーは、２成分勾配法を用いた、１ｍＬ／分の流速で２２０ｎｍでのＵＶ検出によるＤｉｏｎｅｘのＡｃｃｌａｉｍ（登録商標）Ｐｏｌａｒ  Ａｄｖａｎｔａｇｅ逆相カラム（Ｃ１６  ３マイクロメートル１５０×４．６ｍｍ、部品番号０６１３１８）で行う。吸収性物品の抽出は先に説明されている。抽出物を０．４５マイクロメートルＰＴＦＥ  Ａｃｒｏｄｉｓｃ  ＣＲフィルターを通して濾過してから、分析のために５μＬを注入する。
【００４５】
試薬及び溶液：
抽出溶媒：変性（９５％）エタノール：氷酢酸：水（重量比２：１：２）
漂白活性化剤標準物質：既知の活性のノナノイルオキシベンゼンスルホネート（ＮＯＢＳ）粉末
ＨＰＬＣ溶離液Ａ−０．０１  Ｍオルトリン酸二水素アンモニウム（ＨＰＬＣ等級）
ＨＰＬＣ溶離液Ｂ−７０：３０  ＨＰＬＣ等級アセトニトリル：水（ＨＰＬＣ等級）
【表２】
0005260752.tif 000003
【００４６】
較正用標準物質の調製：
全ての標準物質は、クラスＡ容量測定用ガラス器具を用いて調製する。まず、ＮＯＢＳ第１標準物質約１００ｍｇを正確に秤量し、１００ｍＬメスフラスコに移し、抽出溶媒で規定体積とし、完全に混合する。次に、ストック溶液１．００、２．００、４．００及び８．００ｍＬをそれぞれ別個の１００ｍＬメスフラスコにピペットで量り入れ、抽出溶媒で規定体積とし、完全に混合することにより、１０．０、２０．０、４０．０、及び８０．０ｍｇ／Ｌの較正用標準物質を調製する。必要に応じて、ＮＯＢＳの濃度が較正曲線の範囲内にあることを確実にするために、追加の較正用標準物質を調製することができる。
【００４７】
ＨＰＬＣ分析：
５μＬの各較正用標準物質、及び抽出サンプルが注入される。較正用標準物質の積分ピーク面積を使用して、応答（ピーク面積）対濃度の較正曲線を作成し、これからＮＯＢＳの濃度を計算することができる。結果を±０．１ｍｇ／ｍＬまで報告する。この値を使用して、吸収性物品から抽出された合計ＮＯＢＳを計算することができる。
【００４８】
ｍｇ／吸収性物品＝測定されるＮＯＢＳ濃度（ｍｇ／Ｌ）×抽出容積（Ｌ）／おむつ
結果は、±０．１ｍｇ／おむつまで報告される。
【００４９】
吸収性物品の抽出−テトラアセチルエチレンジアミン漂白活性化剤分析
５０％の水性エタノール１２００ｇ、及び６００ｇの氷酢酸を２Ｌのガラス瓶内で混合し、１：１：１の重量比の変性エタノール：氷酢酸：脱イオン水溶液の混合物を提供することによって、ストック抽出溶媒がまず調製された。
【００５０】
存在する場合、カフ、及び存在する場合、コアの上の吸収性物品の上縁部を注意深く取り除き、コアを小さな断片（およそ１２９〜９．７ｃｍ２（２０〜１．５平方インチ）の断片）に、コアから失われるあらゆる材料を捉えるためにトレイ、又は剥離紙上で切断することにより、抽出のための代表的な吸収性物品が調製される。吸収性物品材料が、０．４７Ｌ（１６ｏｚ）の透明なガラスの広口瓶（ＶＷＲ  Ｉｎｔｅｒｎａｔｉｏｎａｌから入手可能、カタログ番号８９０４３−２７４）内に定置され、２００ｍＬのストック抽出溶媒で処理される。蓋（Ｐｌａｓｔｉｓｏｌライナー付き、ＶＷＲ  Ｉｎｔｅｒｎａｔｉｏｎａｌから入手可能、カタログ番号１６１９８−９０５）を瓶にしっかりと装着して確実に溶液が失われないようにし、瓶をＵＳ  Ｓｔｏｎｅｗａｒｅのローラー型ジャーミル（ＶＷＲ  Ｉｎｔｅｒｎａｔｉｏｎａｌから入手可能；カタログ番号４８９００−０００号）に３０分間で１０の設定で装着する。ミルのローラーとの適切な接触の維持を補助し、適切な混合を確実とするために、瓶を使い捨てニトリル手袋（例えばＶＷＲインターナショナルから入手可能なもの等；カタログ番号４０１０１−３４８）の中に入れる。瓶の中で吸収性物品材料を絞り、得られる液体を回収容器に注ぐことにより、抽出溶媒を回収する。抽出溶媒を分析まで冷蔵庫内に置くが、３日以内に使用するべきである。
【００５１】
テトラアセチルエチレンジアミン漂白活性化剤の高速液体クロマトグラフィー（ＨＰＬＣ）試験
ＴＡＥＤでコーティングされた粒子、又はそのような粒子を含有する吸収性物品のいずれかからのテトラアセチルエチレンジアミン（ＴＡＥＤ）の定量化に好適な試験方法は、ＵＶ検出を用いたＨＰＬＣによるものである。分析は、インライン脱ガス装置、オートサンプラー、カラムヒーター（３５℃に設定）及びフォトダイオードアレイ検出器を備えたＷａｔｅｒｓ  ２６９５液体クロマトグラフ溶媒供給システム、又は同等物で行い、Ｅｍｐｏｗｅｒソフトウェアで機器制御、データ収集、及び処理をサポートする。クロマトグラフィーは、２成分勾配法を用いた、１ｍＬ／分の流速で２２０ｎｍでのＵＶ検出によるＤｉｏｎｅｘのＡｃｃｌａｉｍ（登録商標）Ｐｏｌａｒ  Ａｄｖａｎｔａｇｅ逆相カラム（Ｃ１６  ３マイクロメートル１５０×４．６ｍｍ、部品番号０６１３１８）で行う。吸収性物品の抽出は先に説明されている。抽出物を０．４５マイクロメートルＰＴＦＥ  Ａｃｒｏｄｉｓｃ  ＣＲフィルターを通して濾過してから、分析のために５μＬを注入する。
【００５２】
試薬及び溶液：
抽出溶媒：５０％水性エタノール、氷酢酸（２：１重量比）
漂白活性化剤標準物質：既知の活性のテトラアセチルエチレンジアミン（ＴＡＥＤ）粉末
ＨＰＬＣ溶離液Ａ−０．０１  Ｍオルトリン酸二水素アンモニウム（ＨＰＬＣ等級）
ＨＰＬＣ溶離液Ｂ−７０：３０  ＨＰＬＣ等級アセトニトリル：水（ＨＰＬＣ等級）
【表３】
0005260752.tif 000004
【００５３】
較正用標準物質の調製：
全ての標準物質は、クラスＡ容量測定用ガラス器具を用いて調製する。まず、ＴＡＥＤ第１標準物質約１００ｍｇを正確に秤量し、１００ｍＬメスフラスコに移し、抽出溶媒で規定体積とし、完全に混合して溶かす。次に、ストック溶液１．００、２．００、４．００及び８．００ｍＬをそれぞれ別個の１００ｍＬメスフラスコにピペットで量り入れ、抽出溶媒で規定体積とし、完全に混合することにより、１０．０、２０．０、４０．０、及び８０．０ｍｇ／Ｌの較正用標準物質を調製する。必要に応じて、ＴＡＥＤの濃度が較正曲線の範囲内にあることを確実にするために、追加の較正用標準物質を調製することができる。
【００５４】
ＨＰＬＣ分析：
５μＬの各較正用標準物質、及び抽出サンプルが注入される。較正用標準物質の積分ピーク面積を使用して、応答（ピーク面積）対濃度の較正曲線を作成し、これからＴＡＥＤの濃度を計算することができる。結果を±０．１ｍｇ／ｍＬまで報告する。この値を使用して、吸収性物品から抽出された合計ＴＡＥＤを計算することができる。
【００５５】
ｍｇ／吸収性物品＝測定されるＴＡＥＤ濃度（ｍｇ／Ｌ）×抽出容積（Ｌ）／おむつ
結果は、±０．１ｍｇ／おむつまで報告される。
【００５６】
リフレクトクアント過酸化物試験−吸収性物品過炭酸塩の充填
設備：
リフレクトクアントメーター；ＲＱｆｌｅｘ  １０、ＥＭＤ  Ｃｈｅｍｉｃａｌｓから入手可能
過酸化物試験ストリップ；ストック番号１６９７４；０．２〜２０．０ｍｇ／ｍＬの濃度範囲を測定
方法
ペルオキシド測定に関し、取扱説明書に指示されるように、試験ストリップの分析にリフレクトクアントメーターが使用される。存在する場合、カフ、及び存在する場合、コアの上の吸収性物品の上縁部を注意深く取り除き、残った吸収性物品を小さな断片（およそ１２９〜９．７ｃｍ２（２０〜１．５平方インチ）の断片）に、コアから失われるあらゆる材料を捉えるためにトレイ、又は剥離紙上で切断することにより、分析のための過炭酸塩を含む代表的な吸収性物品が調製される。切断した吸収性物品及び材料を、分析まで６００ｍＬビーカーに移送する。９．５Ｌ（２．５ガロン）のプラスチックのバケツを室温の４Ｌの脱イオン水で充填し、１８’ステンレス鋼シャフト、及び３．８ｃｍ（１  １／２”）のプロペラブレードを有する卓上撹拌モーターが、バケツの隣にセットアップされて、バケツ内の水溶液に撹拌を提供する。撹拌は緩慢な速度で開始し、吸収性物品の断片は、４Ｌの脱イオン水中に全て一緒に移送される。おむつの断片を追加する際、タイマーを開始させ、２５分後に撹拌速度を高速にする。リフレクトクアントの読み取り値を、３０分後に、過酸化物試験ストリップを過酸化物を含有する撹拌した溶液中に直接浸漬し、溶液から取り出して、ストリップを振って余分な溶液を取り除く前に、これをそこに２秒間保持することによって取った。同時に、試験ストリップを溶液に入れ、リフレクトクアントの１５秒タイマーを作動させる。試験ストリップから余分な溶液を取り除いた後、機械に挿入し、１５秒タイマーの終了時に、リフレクトクアントが試験ストリップを分析して水溶液内の過酸化物の濃度（ｐｐｍ）を表示する。３０分の期間に、連続的に３つの試験ストリップを分析し、読み取り値を記録して、平均を算出した。
【００５７】
代表的な吸収性物品内の過炭酸ナトリウムの充填を測定するために、およそ目標充填レベル（すなわち、吸収性物品当たり５０、１００、２００、４００ｍｇ）の既知の量の過炭酸ナトリウムを、代表的な吸収性物品に（充填する前に過炭酸を含有しないことが既知である）充填し、リフレクトクアント分析を使用して、過酸化物の濃度を測定することによって、反応曲線をまず構成する。反応曲線は、吸収性物品内の過炭酸塩の重量を、リフレクトクアント分析、及び線適合分析に供されたデータを使用して測定された過酸化物の濃度に対してグラフ化されるように、構成される。得られた線及び等式は次に、吸収性物品によって作製される線の過炭酸ナトリウムの未知の充填を測定するために使用される。
【００５８】
分布プロファイルを計算する−過酸素漂白化合物のみ
吸収性物品のサンプルを調製し、上記の方法を使用して各四分区間の過酸素漂白化合物濃度を測定する。以下のように分布プロファイルを計算する。
【数１】
0005260752.tif 000005
【００５９】
プロファイルは、計算されるプロファイル値に１００をかけることによって、百分率で表現され得る。
【００６０】
分布プロファイルを計算する−過酸素漂白化合物及び漂白活性化剤を含む臭気抑制系
吸収性物品のサンプルを調製し、上記の方法を使用して各四分区間における過酸素漂白化合物濃度及び漂白活性化剤濃度を測定する。過酸素漂白化合物及び漂白活性化剤の合わせた重量を、各四分区間の測定される四分区間過酸素漂白化合物と代えて、上記のように分布プロファイルを計算する。
【００６１】
本明細書に開示される寸法及び値は、列挙された正確な数値に厳しく制限されるものとして理解されるべきでない。それよりむしろ、特に指定されない限り、各こうした寸法は、列挙された値とその値周辺の機能的に同等の範囲の両方を意味することを意図する。例えば、「４０ｍｍ」として開示される寸法は、「約４０ｍｍ」を意味するものとする。
【００６２】
相互参照される又は関連するあらゆる特許又は出願書類を含め、本明細書において引用される全ての文献は、明示的に除外ないしは制限されない限り、その全体を参考として本明細書に組み込まれる。いかなる文献の引用も、それが本明細書において開示され請求されるいずれかの発明に関する先行技術であること、又はそれが単独で若しくは他のいかなる参照とのいかなる組み合わせにおいても、このような発明を教示する、提案する、又は開示することを認めるものではない。更に、本書における用語のいずれかの意味又は定義が、参考として組み込まれた文献における同一の用語のいずれかの意味又は定義と相反する限りにおいて、本書においてその用語に与えられた定義又は意味が適用されるものとする。
【００６３】
本発明の特定の実施形態について説明し記載したが、本発明の趣旨及び範囲から逸脱することなく他の様々な変更及び修正が可能であることが当業者には自明である。したがって、本発明の範囲内にあるそのような全ての変更及び修正を、添付の「特許請求の範囲」で扱うものとする。
【図１】
0005260752.tif 000006
【図２】
0005260752.tif 000007